(57)【要約】      （修正有）【課題】気流の流れを滑らかにすることによって、低騒音化を図った遠心ファンの提供する。【解決手段】遠心ファンは、略円筒状のロータホルダ３１と、ロータホルダ３１の下端部に固定された環状の保持板と、保持板に固定された複数の羽根とを備え、保持板は、ロータホルダ３１の径方向外方において、複数の羽根を保持する略環状の羽根保持部と、ロータホルダ３１側において、ロータホルダ３１の外周面の周りに形成される円筒部と、円筒部と羽根保持部との間にあって、円筒部の上端部側から羽根保持部側に向けて傾斜する傾斜部とが一体成形されたものからなる。【選択図】図６
2010216280.tif 000002
【特許請求の範囲】
【請求項１】
略円筒状のロータホルダと、
前記ロータホルダの下端部に固定され、該ロータホルダの径方向外方に広がる環状の保持板と、
前記保持板に固定され、前記ロータホルダの外周面から離間して該ロータホルダの周方向に配列された複数の羽根と、
を備え、
前記保持板は、
前記ロータホルダの径方向外方において、前記複数の羽根を保持する略環状の羽根保持部と、
前記ロータホルダ側において、該ロータホルダの外周面の周りに形成される円筒部と、
前記円筒部と前記羽根保持部との間にあって、前記円筒部の上端部側から前記平坦部側に向けて傾斜する傾斜部と、
が一体成形されたものからなる、遠心ファン。
【請求項２】
請求項１に記載の遠心ファンにおいて、
前記ロータホルダの下端部は、該ロータホルダの径方向外方に突出する突出部を有し、該突出部と前記保持板の円筒部下端部とがインサート成形により、前記保持板が前記ロータホルダに固定されている、遠心ファン。
【請求項３】
請求項１に記載の遠心ファンにおいて、
前記円筒部の前記径方向傾斜部側に、一体成形により形成された第１肉抜き部が設けられている、遠心ファン。
【請求項４】
請求項３に記載の遠心ファンにおいて、
前記第１肉抜き部は、軸方向上側から下側に向けて形成されている、遠心ファン。
【請求項５】
請求項３または４に記載の遠心ファンにおいて、
前記第１肉抜き部は、周方向に複数に分割されている、遠心ファン。
【請求項６】
請求項３〜５のに記載の遠心ファンにおいて、
前記第１肉抜き部は、周方向において環状に形成される、遠心ファン。
【請求項７】
請求項３〜６のいずれかに記載の遠心ファンにおいて、
前記円筒部の厚みは、前記傾斜部の厚みと略同一である、遠心ファン。
【請求項８】
請求項２に記載の遠心ファンにおいて、
前記突出部は、前記ロータホルダの周方向に複数形成されており、該複数の突出部と前記保持板の円筒部下端部とがインサート成形されることにより、前記保持板が前記ロータホルダに固定されており、
前記円筒部は、前記複数の突出部が形成された部位において、径方向外方に突出する柱状の肉厚部を有している、遠心ファン。
【請求項９】
請求項８に記載の遠心ファンにおいて、
前記円筒部は、前記複数の突出部が形成されていない部位において、前記径方向傾斜部側に、一体成形により形成された第２肉抜き部が設けられている、遠心ファン。
【請求項１０】
請求項９に記載の遠心ファンにおいて、
前記第２肉抜き部は、前記円筒部と前記傾斜部の間において、軸方向下側から上側にかけて形成されている、遠心ファン。
【請求項１１】
請求項８〜１０のいずれかに記載の遠心ファンにおいて、
前記肉厚部を除く前記円筒部の厚みは、前記傾斜部の厚みと略同一である、遠心ファン。
【請求項１２】
請求項９〜１１のいずれかに記載の遠心ファンにおいて、
前記肉厚部の周方向の厚みは、前記肉厚部を除く前記円筒部の厚み、及び前記傾斜部の厚みと略同一である、遠心ファン。
【請求項１３】
請求項１〜１２のいずれかに記載の遠心ファンにおいて、
前記複数の羽根は、前記保持板と一体成形されている、遠心ファン。
【請求項１４】
請求項１〜１３のいずれかに記載の遠心ファンにおいて、
前記保持板と前記複数の羽根とで構成されるインペラ部内にステータ部が配設されている、遠心ファン。
【請求項１５】
請求項１〜１４のいずれかに記載の遠心ファンにおいて、
前記円筒部の前記ロータホルダ側内周部が、前記ロータホルダの外周部と当接している、遠心ファン。
【請求項１６】
請求項１〜１４のいずれかに記載の遠心ファンにおいて、
前記円筒部の前記ロータホルダ側内周部と、前記ロータホルダの外周部との間に空隙が存在している、遠心ファン。
【請求項１７】
請求項１〜１４のいずれかに記載の遠心ファンにおいて、
前記傾斜部は、湾曲状に傾斜している、遠心ファン。
【発明の詳細な説明】
【技術分野】
【０００１】
本発明は、送風等に用いられる遠心ファンに関する。
【背景技術】
【０００２】
従来の遠心ファンは、回転軸に対して周方向に配列された複数の羽根を、モータで回転させることによって、軸方向に吸入した空気を径方向に排出する構成になっている。モータは、ステータ部と、ステータ部に回転可能に支持されたロータ部とで構成され、円筒状のロータホルダに羽根を固定することによって、羽根がロータホルダと共に回転するようになっている。
【０００３】
このような遠心ファンでは、軸方向に吸入した空気を径方向に排出する際、ロータホルダの外周面、特に下端部において、気流の乱れが生じ、これが騒音の原因となっている。
【０００４】
この種の問題に対して、特開２００５−１６０２６４号公報には、円筒状のロータホルダの外周面に傾斜をもたせて、気流の流れを滑らかにすることによって、騒音を低減する技術が記載されている。
【０００５】
また、特開２００４−２２９４６８号公報にも、気流の流れを滑らかにする遠心ファンの構成が記載されている。
【０００６】
また、本出願人は、複数の羽根を環状の保持板で保持し、当該保持板を、ロータホルダの開口部または側面部にインサート成形により固定する方法を、特開２００７−２３８７７号公報に開示している。
【特許文献１】特開２００５−１６０２６４号公報
【特許文献２】特開２００４−２２９４６８号公報
【特許文献３】特開２００７−２３８７７号公報
【発明の概要】
【発明が解決しようとする課題】
【０００７】
気流の流れを滑らかにするという観点から考えると、ロータホルダの外周面は、湾曲状に傾斜しているのが望ましい。一方、ロータホルダの内側には、ステータ部が配置されるため、ステータ部を構成する電機子（巻線部）の外周面を、ロータホルダの外周面の傾斜角に合わせて傾斜面にする必要がある。そのため、ロータホルダの外周面の形状は、電機子の外周面の形状に制約されることになり、ロータホルダの外周面を任意の傾斜形状（例えば、湾曲状）に形成することは実際問題として難しい。
【０００８】
本発明は、気流の流れを滑らかにすることによって、低騒音化を図った遠心ファンの提供を目的とする。
【課題を解決するための手段】
【０００９】
本発明の一側面における遠心ファンは、略円筒状のロータホルダと、ロータホルダの下端部に固定され、ロータホルダの径方向外方に広がる環状の保持板と、保持板に固定され、ロータホルダの外周面から離間してロータホルダの周方向に配列された複数の羽根とを備え、保持板は、ロータホルダの径方向外方において、複数の羽根を保持する略環状の羽根保持部と、ロータホルダ側において、ロータホルダの外周面の周りに形成される円筒部と、円筒部と羽根保持部との間にあって、円筒部の上端部側から羽根保持部側に向けて傾斜する傾斜部とが一体成形されたものからなる。
【００１０】
このような構成により、ロータホルダの外周面の形状を変更することなく、羽根を固定する保持板の一部に、ロータホルダの外周面外方に向けて、湾曲状に傾斜した傾斜部を設けることによって、軸方向に吸入した空気を径方向に滑らかに排出できる。また、保持板を構成する羽根保持部、円筒部、及び傾斜部が一体成形されているため、傾斜部を任意の形状に形成できる。これにより、簡単な構成で上記作用効果を奏する保持板を形成でき、安定した強度を保ち、低騒音化を図った遠心ファンを安価に提供できる。
【００１１】
本発明の他の側面における遠心ファンは、上記ロータホルダの下端部が、ロータホルダの径方向外方に突出する突出部を有し、突出部と保持板の円筒部下端部とがインサート成形されることにより、保持板がロータホルダに固定されている。これにより、保持板をロータホルダに容易に固定できる。
【００１２】
本発明の他の側面における遠心ファンは、上記円筒部の径方向傾斜部側に、一体成形により形成された環状の肉抜き部が設けられている。これにより、保持板を構成する円筒部、傾斜部、及び羽根保持部の厚みを均一にでき、保持板を一体成形したときのひけによる変形を大幅に抑制できる。
【００１３】
上記肉抜き部の好適な実施形態において、肉抜き部は、傾斜部の軸方向上側から下側に向けて形成されている。また、環状の肉抜き部は、周方向に複数に分割されている。
【００１４】
本発明の他の側面における遠心ファンは、上記突出部が、ロータホルダの周方向に複数形成されており、複数の突出部と保持板の円筒部下端部とがインサート成形されることにより、保持板がロータホルダに固定されており、円筒部は、複数の突出部が形成された部位において、径方向外方に突出する柱状の肉厚部を有している。
【００１５】
本発明の他の側面における遠心ファンは、上記円筒部が、複数の突出部が形成されていない部位において、径方向傾斜部側に一体成形により形成された肉抜き部が設けられている。これにより、肉厚部を除く円筒部、傾斜部、及び羽根保持部の厚みを均一でき、保持板を一体成形したときのひけによる変形を大幅に抑制できる。
【００１６】
上記肉抜き部の好適な実施形態において、肉抜き部は、傾斜部の軸方向下側から上側に向けて形成されている。また、肉厚部の周方向の厚みは、肉厚部を除く円筒部の厚み、及び傾斜部の厚みと略同一である。
【００１７】
本発明の他の側面における遠心ファンは、上記複数の羽根は、保持板と一体成形されている。
【００１８】
本発明の他の側面における遠心ファンは、上記保持板と複数の羽根とで構成されるインペラ部内にステータ部が配設されている。
【発明の効果】
【００１９】
本発明の一側面における遠心ファンは、簡単な構成で軸方向に吸入した空気を径方向に滑らかに排出でき、安定した強度を保ち、低騒音化を図った遠心ファンを安価に提供できる。
【図面の簡単な説明】
【００２０】
【図１】図１は、本発明の第１の実施形態における遠心ファンの構成を示した断面図である。
【図２】図２（ａ）、（ｂ）は、第１の実施形態におけるロータホルダの構成を示した図で、図２（ａ）は断面図、図２（ｂ）は底面図である。
【図３】図３（ａ）〜（ｃ）は、第１の実施形態におけるロータホルダに保持板を固定した状態を示した図で、図３（ａ）は半平面図、図３（ｂ）は断面図、図３（ｃ）は半底面図である。
【図４】図４（ａ）、（ｂ）は、第１の実施形態の変形例におけるロータホルダに保持板を固定した状態を示した図で、図４（ａ）は半平面図、図４（ｂ）は断面図である。
【図５】図５（ａ）、（ｂ）は、第１の実施形態の他の変形例におけるロータホルダに保持板を固定した状態を示した図で、図５（ａ）は半平面図、図５（ｂ）は断面図である。
【図６】図６（ａ）、（ｂ）は、第２の実施形態におけるロータホルダの構成を示した図で、図６（ａ）は断面図、図６（ｂ）は底面図である。
【図７】図７（ａ）、（ｂ）は、第２の実施形態におけるロータホルダに保持板を固定した状態を示した図で、図７（ａ）は断面図、図７（ｂ）は半底面図である。
【図８】図８（ａ）、（ｂ）は、第２の実施形態の変形例におけるロータホルダの構成を示した図で、図８（ａ）は断面図、図８（ｂ）は底面図である。
【図９】図９は、他の実施形態における保持板の構成を示した底面図である。
【図１０】図１０（ａ）は、他の実施形態における羽根の構成を示した断面図、図１０（ｂ）は、ロータホルダに保持板を固定した状態を示した断面図である。
【図１１】図１１（ａ）は、他の実施形態における羽根の構成を示した斜視図、図１１（ｂ）は、他の実施形態におけるロータホルダに保持板を固定した状態を示した斜視図、図１１（ｃ）は、他の実施形態における羽根を保持板に固定した状態を示した斜視図である。
【発明を実施するための形態】
【００２１】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。さらに、他の実施形態との組み合わせも可能である。なお、本明細書では、便宜上、中心軸Ｊに沿って、後述するベース部４１側を「上側」、ベース部４１と軸方向反対側を「下側」という。しかし、中心軸Ｊは必ずしも重力方向と一致する必要はない。
【００２２】
（第１の実施形態）
図１は、本発明の第１の実施形態における遠心ファンの中心軸Ｊを含む平面で切断した断面図である。
【００２３】
図１に示すように、遠心ファンは、ロータ部３と、ロータ部３を中心軸Ｊを中心に回転可能に支持するステータ部４と、ロータ部３に固定された複数の羽根１０とを備えている。
【００２４】
ロータ部３は、略有蓋円筒状のロータホルダ３１と界磁用磁石３２とを備え、界磁用磁石３２は、ロータホルダ３１の側壁部の内側に固定されている。ステータ部４は、ベース部４１、電機子４２、及びベース部４１から上側に突出した軸受保持部４３とを備え、電機子４２は、軸受保持部４３の外側に固定されている。また、軸受保持部４３の内側には、玉軸受５２が中心軸Ｊ方向の上側及び下側に配されている。
【００２５】
ロータホルダ３１の下端部には、ロータホルダ３１の径方向外方に広がり、複数の羽根１０を保持する、環状の保持板２が固定されている。また、保持板２には、ロータホルダ３１の外周面から離間してロータホルダ３１の周方向に配列された、複数の羽根１０が固定されている。そして、保持板２と複数の羽根１０とでインペラ部を構成している。
【００２６】
ロータホルダ３１の蓋部中央には、ブッシュ５１が固定され、ブッシュ５１に圧入されたシャフト５０が、軸受保持部４３に挿入されて、玉軸受５２により回転可能に支持されている。ここで、シャフト５０および玉軸受５２は、ロータ部３及び羽根１０をステータ部４に対して回転可能に支持する軸受機構となっている。
【００２７】
上記のように構成された遠心ファンは、電機子４２に駆動電流を供給することによって、電機子４２と界磁用磁石３２との間に中心軸Ｊを中心とする回転トルクが発生する。これにより、ロータホルダ３１に固定された複数の羽根１０は、ロータホルダ３１に固定されたシャフト５０と共に、中心軸Ｊを中心に回転する。
【００２８】
本実施形態において、ロータホルダ３１の下端部に固定された保持板２は、３つの部位で構成されている。すなわち、保持板２は、ロータホルダ３１の径方向外方において、複数の羽根１０を保持する略環状の羽根保持部２１と、ロータホルダ３１側において、ロータホルダ３１の外周面と当接する円筒部２２と、円筒部２２と羽根保持部２１との間にあって、円筒部２２の上端部側から羽根保持部２１側に向けて湾曲状に傾斜する傾斜部２３とが一体成形されたものからなる。羽根保持部２１は、円筒部２２から保持板２の径方向最外周部にかけて、滑らかな曲線となるような断面形状となっている。
【００２９】
このように、羽根１０を保持する保持板２の一部に、ロータホルダ３１の外周面外方に向けて、湾曲状に傾斜した傾斜部２３を設けることによって、軸方向に吸入した空気を径方向に滑らかに排出できる。また、保持板２の一部に、ロータホルダ３１の外周面と当接する円筒部２２を設けることによって、保持板２をロータホルダ３１に強固に固定できる。さらに、保持板２を構成する羽根保持部２１、円筒部２２、及び傾斜部２３が一体成形されているため、傾斜部２３を任意の形状に形成できる。これにより、簡単な構成で上記作用効果を奏する保持板２を形成できる。したがって、安定した強度を保ち、低騒音化を図った遠心ファンを安価に製造できる。
【００３０】
本実施形態において、保持板２のロータホルダ３１への固定は、インサート成形により行われることが好ましい。以下、本実施形態におけるインサート成形について詳述する。
【００３１】
図２（ａ）、（ｂ）は、本実施形態におけるロータホルダ３１の構成を示した図で、図２（ａ）は断面図、図２（ｂ）は底面図である。
【００３２】
ロータホルダ３１の下端部には、ロータホルダ３１の径方向外方に突出する突出部（フランジ部）３３が形成されている。そして、この突出部３３と保持板２の円筒部２２下端部とがインサート成形されることにより、保持板２がロータホルダ３１に固定されている。
【００３３】
羽根保持部２１、円筒部２２、及び傾斜部２３からなる保持板２は、中心軸Ｊ方向の上下に離型する２つの金型を用いて、射出成形等により容易に一体成形できる。そのため、図１に示すように、円筒部２２は、突出部３３の突出幅に相当する肉厚を持つことになる。
【００３４】
一方、保持板２をロータホルダ３１に一定の強度で固定するためには、突出部３３の突出幅を一定の大きさに確保する必要がある。その結果、円筒部２２の厚みが、羽根保持部２１及び傾斜部２３の厚みよりも大きくなる場合がある。このような場合、射出成形時において、肉厚の円筒部２２に、成形収縮による変形（ひけ）を生じるおそれがある。円筒部２２にこのような変形が生じると、保持板２をロータホルダ３１に固定する強度が低下したり、場合によっては、円筒部２２に割れを生じるおそれがある。
【００３５】
このような問題に対して、以下のような対策を取ることが有効である。以下、図３（ａ）〜（ｃ）を参照しながら説明する。図３（ａ）〜（ｃ）は、ロータホルダ３１に保持板２を固定した状態を示した図で、図３（ａ）は半平面図、図３（ｂ）は断面図、図３（ｃ）は半底面図である。
【００３６】
図３（ｂ）に示すように、円筒部２２の径方向傾斜部２３側に、傾斜部２３の軸方向上側から下側に向けて、一体成形により形成された環状の肉抜き部２４ａが形成されている。上述したように、保持板２は、中心軸Ｊ方向の上下に離型する２つの金型を用いて、射出成形により一体成形できる。したがって、金型内に、肉抜き部２４ａを形成するための入れ子を設けておくことによって、中心軸Ｊに沿った肉抜き部２４ａを容易に形成できる。これにより、円筒部２２の厚みを、傾斜部２３の厚みと略同一にできるため、射出成形時において、円筒部２２に、成形収縮による変形（ひけ）が生じるのを抑制できる。
【００３７】
なお、図３（ｃ）に示すように、インサート成形により突出部３３の下側に形成される接合部２５は、周方向に等間隔で形成されているが、これに限定されず、例えば、環状に形成しても、もちろんよい。
【００３８】
ところで、円筒部２２の一部に肉抜き部２４ａを形成すると、その分だけ円筒部２２の厚みは薄くなる。その結果、保持板２をロータホルダ３１に固定する強度が低下するおそれがある。
【００３９】
そこで、このような問題に対して、図３（ａ）に示すように、肉抜き部２４ａを、周方向に複数に分割して形成することが好ましい。このようにすると、図３（ｂ）に示すように、肉抜き部２４ａが形成されていない円筒部２２の部位において、突出部３３の突出幅に相当する厚みを確保できる。その結果、この肉厚の円筒部２２の部位において、保持板２をロータホルダ３１に固定する強度を補強できる。なお、肉抜き部２４ａを分割する数は、必要とする保持板２の固定強度に応じて、適宜決めればよい。
【００４０】
本実施形態において、保持板２の円筒部２２は、ロータホルダ３１の外周面に、厚みをもって当接しているが、図１に示したように、その厚みは必ずしも軸方向に沿って一定である必要はない。また、円筒部２２は、ロータホルダ３１の外周面の軸方向全体に亘って当接している必要はなく、保持板２のロータホルダ３１への固定を一定の強度に維持できる範囲で、ロータホルダ３１の外周面に当接していればよい。
【００４１】
さらに、図４（ａ）、（ｂ）に示すように、円筒部２２は、ロータホルダ３１の外周面の周方向全体に亘って当接している必要はなく、円筒部２２のロータホルダ３１側内周部と、ロータホルダ３１の外周部との間に空隙が存在していてもよい。また、この空隙は、図５（ａ）、（ｂ）に示すように、ロータホルダ３１の外周面の周方向全体に亘って存在していてもよい。
【００４２】
また、本実施形態において、羽根保持部２１は、円筒部２２から保持板２の径方向最外周部にかけて、滑らかな曲線となるような断面形状が好ましいが、傾斜部２３の径方向最外周部から保持板２の径方向最外周部にかけて、直線的となるような断面形状であってもよい。
【００４３】
また、本実施形態において、ロータホルダ３１は、図１に示したように、略有蓋円筒状のものを用いたが、蓋のない略円筒状のものであってもよい。この場合、シャフト５０は、例えば、保持板２が、ロータホルダ３１の軸方向上側をすべて覆うように形成され、その保持板２に対してロータホルダ３１と同軸上に、シャフト５０が固定される。より詳細には、シャフト５０が保持板２にインサート成形される。
【００４４】
また、本実施形態において、保持板２は、図１に示したように、ロータホルダ３１の下端部に固定されているが、ここでいう「下端部」とは、ロータホルダ３１の端部のみをいうのではなく、その近傍も含むものを言う。したがって、ロータホルダ３１の径方向外方に突出する突出部３３は、図２（ａ）に示したように、ロータホルダ３１の下端部に設ける場合だけでなく、その近傍に設ける場合も含む。
【００４５】
また、本実施形態において、突出部３３と、保持板２の円筒部２２下端部とをインサート成形することにより、保持板２をロータホルダ３１に固定したが、インサート成形以外の方法で、保持板２をロータホルダ３１に固定してもよい。例えば、圧入、接着、熱溶着、超音波溶着などの方法がある。
【００４６】
また、本実施形態において、複数の羽根１０は、保持板２と一体成形されたものであってもよい。この場合、インサート成形と組み合わせることにより、羽根１０と保持板２との一体成形と同時に、羽根１０をロータホルダ３１に固定できる。
【００４７】
また、本発明では、図１に示したように、保持板２と複数の羽根１０とで構成されるインペラ部の軸方向中心と、ロータホルダ３１の軸方向中心とが、大きくずれることがないため、インペラ部の軸方向中心とロータホルダの軸方向中心とが、軸方向に大きくずれる構成の遠心ファンと比較して、薄型化を図ることができる。
【００４８】
（第２の実施形態）
第１の実施形態では、保持板２の円筒部２２と傾斜部２３との厚みを略同一にするために、円筒部２２の一部に肉抜き部２４ａを設けたが、この肉抜き部２４ａは、図３（ｂ）に示したように、軸方向上側から下側に向けてしか形成することができない。これは、ロータホルダ３１の下端部に設けた突出部３３が、図２（ｂ）に示したように、環状に形成されているため、ロータホルダ３１の下側から肉抜き部２４ａを形成するための入れ子を挿入できないからである。
【００４９】
そこで、本実施形態では、肉抜き部を軸方向下側から下上側に向けて形成する方法について、図６（ａ）、（ｂ）、及び図７（ａ）、（ｂ）を参照しながら説明する。なお、本実施形態において、以下に説明する特徴的な構成以外の遠心ファンの各構成については、第１の実施形態において説明した構成を適用できる。
【００５０】
図６（ａ）、（ｂ）は、本実施形態におけるロータホルダ３１の構成を示した図で、図６（ａ）は断面図、図６（ｂ）は底面図である。また、図７（ａ）、（ｂ）は、本実施形態におけるロータホルダ３１に保持板２を固定した状態を示した図で、図７（ａ）は断面図、図７（ｂ）は半底面図である。
【００５１】
図６（ａ）、（ｂ）に示すように、本実施形態におけるロータホルダ３１は、下端部に径方向外方に突出する突出部３３を有し、当該突出部３３が、ロータホルダ３１の周方向に複数形成されている。そして、図７（ａ）、（ｂ）に示すように、この複数の突出部３３と、保持板２の円筒部２２下端部とがインサート成形されることにより、保持板２がロータホルダ３１に固定されている。
【００５２】
ロータホルダ３１の下端部に設けられた突出部３３は、周方向に離間して形成されているため、突出部３３が形成されていないロータホルダ３１の側面下側から、肉抜き部を形成するための入れ子を挿入できる。その結果、図７（ａ）に示すように、円筒部２２の突出部３３が形成されていない部位において、径方向傾斜部２３側に、一体成形により形成された肉抜き部２４ｂを容易に形成できる。この場合、肉抜き部２４ｂは、ロータホルダ３１の下端部側に形成されることになる。よって、軸方向に吸入した空気の流路内に肉抜き部２４ｂが存在しないため、空気の流れを滑らかにできる。
【００５３】
本実施形態においては、図７（ｂ）に示すように、円筒部２２は、複数の突出部３３が形成された部位において、径方向外方に突出する柱状の肉厚部２２ａを有することになる。しかし、突出部３３の周方向の幅を所定の大きさに設定することにより、肉厚部２２ａの周方向の厚みを、肉厚部２２ａを除く円筒部２２の厚み、及び傾斜部２３の厚みと略同一にできる。これにより、射出成形時において、肉厚部２２ａに成形収縮による変形（ひけ）が生じるのを抑制できる。
【００５４】
本実施形態において、ロータホルダ３１の周方向に離間して形成された突出部３３の形状及び個数は特に制限されない。例えば、図８（ａ）、（ｂ）に示すように、突出部３３を滑らかな曲線を有する形状にしてもよい。
【００５５】
（他の実施形態）
図９は、他の実施形態における保持板２の構成を示した底面図である。羽根１０を、保持板２と一体成形により形成しない場合、羽根１０を保持板２の羽根保持部２１に固定する必要がある。この場合、羽根保持部２１の上面に、渦巻状に配列された複数の円弧状の溝２１ｂ（図１１（ｂ）を参照）を形成しておくとよい。このとき、羽根保持部２１の下面には、図９に示すように、上面に形成した溝２１ｂに対応した突出部２１ａが形成される。複数の羽根１０は、羽根保持部２１に設けた溝２１ｂに位置決めされて、例えば、熱溶着や超音波溶着などにより羽根保持部２１に固定される。
【００５６】
図１０（ａ）は、他の実施形態における羽根１０の構成を示した断面図で、図１０（ｂ）は、ロータホルダ３１に保持板２を固定した状態を示した断面図である。また、図１１（ａ）は、羽根１０の構成を示した斜視図、図１１（ｂ）は、ロータホルダ３１に保持板２を固定した状態を示した斜視図、図１１（ｃ）は、羽根１０を保持板２に固定した状態を示した斜視図である。
【００５７】
図１０（ａ）、図１１（ａ）に示すように、複数の羽根１０は、環状のシュラウド６３により上端部を連結されて一体成形されている。さらに、複数の羽根１０は、その下端部の外径部分において、環状の補強リング（以下、「外径補強リング」という）６０を取り付けることによって、羽根１０の変形を抑制している。
【００５８】
しかし、羽根１０の軸方向、径方向の長さが大きくなると、外径補強リング６０だけでは、羽根１０の変形を抑制できなくなるおそれがある。そこで、図１０（ａ）、図１１（ａ）に示すように、複数の羽根１０の下端部の内径部分に、環状の補強リング（以下、「内径補強リング」という）６１をさらに取り付けることによって、羽根１０の変形を抑制できる。
【００５９】
しかし、内径補強リング６１は、軸方向に吸入した空気の流路内に存在するため、気流の流れに乱れが生じるおそれがある。そこで、図１０（ｂ）、図１１（ｂ）に示すように、保持板２の羽根保持部２１の上面に、内径補強リング６１を埋め込むためのリング溝６２を形成しておくとよい。これにより、図１１（ｃ）に示すように、羽根１０を保持板２に固定したとき、内径補強リング６１はリング溝６２に埋め込まれるため、気流の乱れを防止できる。
【００６０】
なお、外径補強リング６０は、羽根１０の外径部に取り付けられるため、遠心ファンの外径がその分大きくなる。本構造のように内径補強リング６１を取り付けることで、その分、外径補強リングの径方向幅を減らしても、十分な補強強度が得られるため、外径補強リング６０の径方向幅を小さくでき、遠心ファンの径方向寸法の設計自由度が大きくなる。また、外径補強リング６０を取り付ける代わりに、内径補強リング６１のみを取り付けてもよい。
【００６１】
また、第２の実施形態のロータホルダを用いて、軸方向上側から下側に向けて肉抜きを形成してもよい。
【００６２】
以上、本発明を好適な実施形態により説明してきたが、こうした記述は限定事項ではなく、もちろん、種々の改変が可能である。例えば、上記実施形態においては、モータの軸受機構として、ボールベアリングタイプの軸受機構を用いたが、例えば、スリーブからなる含油軸受を用いてもよい。
【符号の説明】
【００６３】
２        保持板
３        ロータ部
４        ステータ部
１０      羽根
２１      羽根保持部
２１ａ    突出部
２１ｂ    溝
２２      円筒部
２２ａ    肉厚部
２３      傾斜部
２４ａ、２４ｂ    肉抜き部
２５      接合部
３１      ロータホルダ
３２      界磁用磁石
３３      突出部
４１      ベース部
４２      電機子
４３      軸受保持部
５０      シャフト
５１      ブッシュ
５２      玉軸受
６０      外径補強リング
６１      内径補強リング
６２      リング溝
６３      シュラウド
【図１】
2010216280.tif 000003
【図２】
2010216280.tif 000004
【図３】
2010216280.tif 000005
【図４】
2010216280.tif 000006
【図５】
2010216280.tif 000007
【図６】
2010216280.tif 000008
【図７】
2010216280.tif 000009
【図８】
2010216280.tif 000010
【図９】
2010216280.tif 000011
【図１０】
2010216280.tif 000012
【図１１】
2010216280.tif 000013